(57)【要約】【課題】移動リフターは、リフトフォークで掬い取ったコンテナ等の荷物を昇降して、積み降ろしする作業に便利である。このリフトフォークの高さを昇降変更できるため、手作業等における作業台として利用すれば、作業の行い易い最適の高さを選択できて、作業性を高めることができる。【解決手段】荷物を掬って昇降するリフトフォーク１の基部に、コンテナ等の容器Ｗを支持可能の支持ベース２を設けたことを特徴とする移動リフターの構成とする。【選択図】図１
2009137657.tif 000002
【特許請求の範囲】
【請求項１】
荷物を掬って昇降するリフトフォーク（１）の基部に、コンテナ等の容器（Ｗ）を支持可能の支持ベース（２）を設けたことを特徴とする移動リフター。
【請求項２】
前記支持ベース（２）を、リフトフォーク（１）よりも上位で、このリフトフォーク（１）を昇降案内するリフトタワー（３）の前側部に設けることを特徴とする請求項１に記載の移動リフター。
【発明の詳細な説明】
【技術分野】
【０００１】
この発明は、荷物を掬い上げて走行移動しながら高位置に積み降ろしする移動リフターに関し、リフト作業の利用領域をを広くするものである。
【背景技術】
【０００２】
前輪・後輪を有して走行移動する車体上にリフトフォークを昇降させるリフトタワーを設ける移動リフターの技術（例えば、特許文献１参照）が知られている。
【特許文献１】特開２００５−３５０２０７号公報
【発明の開示】
【発明が解決しようとする課題】
【０００３】
移動リフターは、リフトフォークで掬い取ったコンテナ等の荷物を昇降して、積み降ろしする作業に便利である。このリフトフォークの高さを昇降変更できるため、手作業等における作業台として利用すれば、作業の行い易い最適の高さを選択できて、作業性を高めることができる。
【課題を解決するための手段】
【０００４】
請求項１に記載の発明は、荷物を掬って昇降するリフトフォーク１の基部に、コンテナ等の容器Ｗを支持可能の支持ベース２を設けたことを特徴とする移動リフターの構成とする。リフトフォーク１上に積み降ろしするパレット等を載せると共に、支持ベース２上にコンテナ等の容器Ｗを載せる。これらコンテナとパレットとの相互間における果実等の物品を載せ替え作業する。このような場合、パレットやコンテナ等をリフトフォーク１や支持ベース２の上側に積み降ろしするときは、これらリフトフォーク１や支持ベース２等を最下端位置に下降させておき、これらの間の物品の載せ替えを行うときは、リフトフォーク１や支持ベース２を適宜位置へ上昇させて、作業の行い易い高さ位置に設定することができる。
【０００５】
請求項２に記載の発明は、前記支持ベース２を、リフトフォーク１よりも上位で、このリフトフォーク１を昇降案内するリフトタワー３の前側部に設けることを特徴とする。前記支持ベース２を、リフトフォーク１の後側部でリフトタワー３との間において、上方位置に設けるため、リフトフォーク１上に載せるパレットを低くし、支持ベース２に載せるコンテナ等の容器Ｗを高位にして、しかもこれら両者間の前後間隔を接近させて、物品の載せ替えを行い易くする。又、支持ベース２は車台６中央部のリフトタワー３に近い位置に設けられるために、重量コンテナ等を載せても、リフター全体として前後重量バランスを失い難く、安定した作業状態を維持することができる。
【発明の効果】
【０００６】
請求項１に記載の発明は、リフトフォーク１の基部に、支持ベース２を一体構成するため、構成を簡単にすることができ、これらの昇降によって、これらリフトフォーク１、及び支持ベース２に対する荷物の積み降ろしを容易に行うことができ、リフトフォーク１と支持ベース２との相互間における物品の載せ替え作業を行い易くすることができる。
【０００７】
請求項２に記載の発明は、支持ベース２を後側部のリフトタワー３と前側のリフトフォーク１との間に設けるため、この支持ベース２上に重量物を載せて上昇させても機体の前後重量バランスを安定に維持することができる。又、支持ベース２をリフトフォーク１よりも上位置に設けるため、この支持ベース２に載せる荷物の前端部を前側のリフトフォーク１上方にオーバーラップする状態に接近させることができ、取扱荷物の大きさの制限を少なくすることができ、作業を容易化することができる。又、リフトフォーク１と支持ベース２との間を接近させて、相互間の物品の載せ替え作業を行い易くすることができる。
【発明を実施するための最良の形態】
【０００８】
図例に基づいて、移動リフターは、左右一対の前輪４と、回向自在の後輪５を有した車台６の中央部上にリフトタワー３を設け、このリフトタワー３の前側にリフトフォーク１を昇降可能に設け、リフトタワー３の後側には、この移動リフターを操向操作するハンドル７を設け、車台６には、リフトタワー３下端部の昇降用チェンのスプロケット軸８を駆動するギヤドモータ９や、このモータ９を電動するバッテリ１０、及びバランスウエイト１１等を搭載する。穀粒を収容した穀粒袋や、果菜類を収容したダンボールケース等の荷物を掬って積み降ろしするリフトフォーク１は、リフトタワー３に沿って昇降案内される昇降体１２の前側に着脱可能に設けている。この昇降体１２は、前記車台６の略中央部に立設のリフトタワー３の前側に突出させた形態で、この車台６前端左右両側部に配置の前輪４部との間にわたって設けられ、この昇降体１２の前端部に正面視門形状の荷受ガード１３を立設し、前端下部には前方にわたって二又状に突出のリフトフォーク１を取付けている。
【０００９】
このようなリフターは、モータ９によって前輪４を駆動させて走行移動することができ、リフトタワー３内に掛け渡されるチェンを駆動して昇降体１２、及びリフトフォーク１を昇降し、昇降を停止することができる。このリフターの前進によって床面等に置かれている荷物底部にリフトフォーク１を差込んで、この荷物を掬込んで昇降移動させることができ、又、このリフトフォーク１を床面等に置いた荷物から抜き外す等の作業によって、荷物等の積み降ろしを行うことができる。
【００１０】
ここにおいて、この移動リフターは、荷物を掬って昇降するリフトフォーク１の基部に、コンテナ等の容器Ｗを支持可能の支持ベース２を設けたことを特徴とする移動リフターの構成とする。リフトフォーク１上に積み降ろしするパレット等を載せると共に、支持ベース２上にコンテナ等を載せる。これらコンテナとパレットとの相互間における果実等の物品を載せ替え作業する。このような場合、パレットやコンテナ等をリフトフォーク１や支持ベース２の上側に積み降ろしするときは、これらリフトフォーク１や支持ベース２等を最下端位置に下降させておき、これらの間の物品の載せ替えを行うときは、リフトフォーク１や支持ベース２を適宜位置へ上昇させて、作業の行い易い高さ位置に設定することができる。
【００１１】
又、前記支持ベース２を、リフトフォーク１よりも上位で、このリフトフォーク１を昇降案内するリフトタワー３の前側部に設けることを特徴とする。前記支持ベース２を、リフトフォーク１の後側部でリフトタワー３との間において、上方位置に設けるため、リフトフォーク１上に載せるパレットを低くし、支持ベース２に載せるコンテナを高位にして、しかもこれら両者間の前後間隔を接近させて、物品の載せ替えを行い易くする。又、支持ベース２は車台６中央部のリフトタワー３に近い位置に設けられるために、重量コンテナ等を載せても、リフター全体として前後重量バランスを失い難く、安定した作業状態を維持することができる。
【００１２】
前記昇降体１２の前側に着脱する左右一対のリフトフォーク１は、フォーク部を掬い片１Ａと案内片１Ｂとによってアングル状断面形態に構成している。このリフトフォーク１の基部には、昇降体１２の前面に沿って重合させてセットボルト１４で締付けて取付可能の取付片１５を、前記案内片１Ｂ側に沿って起立形成している。通常、床面上に置かれた穀粒袋等を掬い取る作業では、左右一対の各リフトフォーク１の掬い片１Ａが下位内側に位置する状態にして取付けるが、図例のように、収穫した柿等を乾燥機に出し入れするような作業形態にあっては、各リフトフォーク１の掬い片１Ａが上位内側に位置する形態にして取付けて、これら左右のリフトフォーク１間上に渡って受桟１６を取付け、この受桟１６上側に広い柿乾燥用のパレットＰを載置する。なお、このようなパレットＰを載置する場合に、前記リフトフォーク１を通常の穀粒袋等の掬い取る状態に取付けた状態のままで、リフトフォーク１上面にパレットＰを直接載せたり、又は、受桟１６を介在させて載置することも可能である。
【００１３】
前記昇降体１２の上側には、荷受ガード１３の前側にフロントベース１７を設け、後側のリフトタワー３前面に接近させてリヤベース１８を設け、これら両ベース１７，１８、乃至これらの間の荷受ガード１３等とによって支持ベース２を構成して、上面にコンテナやダンボールケース等の容器Ｗを支持することができる。このため、これらベース１７，１８及び荷受ガード１３等の上端面を略同高さに揃えて設定している。又、前後ベース１７，１８にはストッパー１９，２０を形成して、容器Ｗの滑り止めを行う。又、これら支持ベース２の荷受面は、前記リフトタワー３とリフトフォーク１との前後間隔部の昇降体１２上部に位置して、かつ、このリフトフォーク１よりも上位に形成して、フロントベース１７、及びこのストッパー１９部がリフトフォーク１の掬い上げ面の後部上にのぞむ形態に構成されている。これによって、この支持ベース２に支持するダンボールケース等の容器Ｗの前部が、リフトフォーク１上面に載せるパレットＰの後部上に位置する状態に搭載することができ、狭い支持ベース２部に大きい容器Ｗを載置することができる。又、この容器Ｗを載置するための、これら支持ベース２上に支持プレート、乃至支持皿を取付ける形態とすることも可能である。
【００１４】
リフターを乾燥機の前側部近くに移動させて、リフトフォーク１で受けたパレットＰを前後等に移動させながら、乾燥機の乾燥棚に出し入れすることができる。パレットＰ上面に柿を並べるときは、リフトフォーク１を作業に適する高さに移動させておき、このリフトフォーク１の上面にパレットＰを載置し、柿を収容した容器Ｗを支持ベース２上に載置する。作業者は、この支持ベース２上の容器Ｗから柿を取出してパレットＰ上面に並べる。この柿の載置されたパレットＰを、前記のように乾燥棚に差し込むことができる。このようにして乾燥後は、リフトフォーク１によって乾燥機内の各パレットＰを取出すことができ、各パレットＰを取出す毎に、このパレットＰ上面の乾燥柿を支持ベース２上に置かれた容器Ｗへ収容供給することができる。
【図面の簡単な説明】
【００１５】
【図１】移動リフターの側面図。
【図２】その平面図。
【図３】その一部の斜視図。
【図４】その支持ベース取付部の斜視図。
【符号の説明】
【００１６】
１    リフトフォーク
２    支持ベース
３    リフトタワー
Ｗ    容器
【図１】
2009137657.tif 000003
【図２】
2009137657.tif 000004
【図３】
2009137657.tif 000005
【図４】
2009137657.tif 000006